【手続補正書】
【提出日】平成25年12月2日(2013.12.2)
【手続補正１】
【補正対象書類名】特許請求の範囲
【補正対象項目名】全文
【補正方法】変更
【補正の内容】
【特許請求の範囲】
【請求項１】
メモリと、
前記メモリからのデータの出力の開始タイミングを示すタイミング指示手段と、
前記タイミング指示手段に基づいて前記メモリの保持するデータを出力する第１のインターフェースと、
前記第１のインターフェースからのデータをバッファに転送する第２のインターフェースと、
前記タイミング指示手段の示すデータの出力の開始タイミングと、前記第１、第２のインターフェースを省電力状態へ移行させるために要する第１の時間及び前記省電力状態から復帰させるために要する第２の時間の合計と、に基づいて、前記第１、第２のインターフェースを省電力状態に移行させるコマンドを発行する制御手段と
を有することを特徴とするデータ転送装置。
【請求項２】
前記制御手段は、前記タイミング指示手段の示す次のデータの出力の開始タイミングまでの時間が前記第２の時間の合計よりも長い場合に、省電力状態に移行させるコマンドを発行することを特徴とする請求項１に記載のデータ転送装置。
【請求項３】
前記第１、第２のインターフェースはＰＣＩ−Ｅｘｐｒｅｓｓ規格に準拠したインターフェースであることを特徴とする請求項１又は２に記載のデータ転送装置。
【請求項４】
前記省電力状態は、ＰＣＩ−Ｅｘｐｒｅｓｓ規格のＬ１状態であることを特徴とする請求項３に記載のデータ転送装置。
【請求項５】
前記制御手段のコマンドに基づいて前記第１、第２のインターフェースを省電力状態へ遷移させるための要求信号を出力する出力手段と、
前記要求信号が出力されている間、前記第２のインターフェースに対する前記省電力状態への遷移要求以外の要求を遮断するブロック手段と
を、更に有することを特徴とする請求項１乃至４の何れか１項に記載のデータ転送装置。
【請求項６】
前記バッファのデータを出力する第３のインターフェースを更に有し、
前記制御手段は前記第３のインターフェースから前記第２の時間を取得することを特徴とする請求項１乃至５の何れか１項に記載のデータ転送装置。
【請求項７】
データの保持および管理を行うメモリ制御部を有するデータ制御部と、前記データ制御部とチップ間バスで接続され前記データ制御部からのデータを出力するデータ出力部とを有するプリンタであって、
前記データ制御部は、
前記メモリからのデータの出力の開始タイミングを示すタイミング指示手段と、
前記タイミング指示手段に基づいて前記メモリの保持するデータを出力する第１のインターフェースと、
前記タイミング指示手段の示すデータの出力の開始タイミングと、前記第１のインターフェース及び前記データ出力部を省電力状態へ移行させるために要する第１所要時間及び前記第１のインターフェース及び前記データ出力部を前記省電力状態から復帰させるために要する第２所要時間とに基づいて、前記第１のインターフェース及び前記データ出力部を省電力状態に移行させるコマンドを発行する制御手段と、
を備え
前記データ出力部は、
前記データ制御部からのデータを保持するバッファと、
前記第１のインターフェースからのデータを前記バッファに転送する第２のインターフェースと、
前記バッファに保持しているデータを印刷するために出力する第３のインターフェースと、
を備えていることを特徴とするプリンタ。
【請求項８】
メモリと、第１のインターフェースと、第２のインターフェースとを有するデータ転送装置の制御方法であって、
前記メモリからのデータの出力の開始タイミングを示すタイミング指示工程と、
前記第１のインターフェースが、前記開始タイミングに基づいて前記メモリの保持するデータを出力する出力工程と、
前記第２のインターフェースが、前記第１のインターフェースからのデータをバッファに転送する転送工程と、
前記タイミング指示工程で示されるデータの出力の開始タイミングと、前記第１、第２のインターフェースを省電力状態へ移行させるために要する第１所要時間及び前記第１、第２のインターフェースを前記省電力状態から復帰させるために要する第２所要時間とに基づいて、前記第１、第２のインターフェースを省電力状態に移行させるコマンドを発行する制御工程と
を有する
ことを特徴とする制御方法。
【請求項９】
データの保持および管理を行うメモリ制御部を有するデータ制御部と、前記データ制御部とチップ間バスで接続され前記データ制御部からのデータを出力するデータ出力部とを有するプリンタの制御方法であって、
前記データ制御部が、
前記メモリからのデータの出力の開始タイミングを示すタイミング指示工程と、
前記タイミング指示工程の示す開始タイミングに基づいて前記メモリの保持するデータを出力する出力工程と、
前記タイミング指示工程の示すデータの出力の開始タイミングと、前記データ制御部及び前記データ出力部を省電力状態へ移行させるために要する第１所要時間及び前記第１のインターフェース及び前記データ出力部を前記省電力状態から復帰させるために要する第２所要時間とに基づいて、前記データ制御部及び前記データ出力部を省電力状態に移行させるコマンドを発行する制御工程と、
を実行し、
前記データ出力部が、
前記データ制御部からのデータをバッファに保持する保持工程と、
前記データ制御部からのデータを前記バッファに転送する転送工程と、
前記バッファに保持しているデータを印刷するために出力する印刷工程と、
を実行することを特徴とするプリンタの制御方法。
【請求項１０】
データ制御装置から転送されたデータを処理する情報処理装置であって、
前記データ制御装置へデータを転送するように要求する要求手段と、
前記転送された前記データを処理して逐次出力する出力手段と、
前記転送が完了してから次に転送が開始されるまでの第１の時間を、前記要求手段により要求されたデータの転送量と、前記出力手段により出力される出力レートとに基づいて算出する算出手段と、
前記第１の時間と、前記データ制御装置と接続するチップ間バスを省電力状態へ遷移させるのに要する時間と前記省電力状態から復帰させるのに要する時間との合計である第２の時間と、を比較する比較手段と、
前記比較手段により前記第１の時間が前記第２の時間よりも長いと判断されると、前記チップ間バスを前記省電力状態へ遷移させる変更手段と
を備えることを特徴とする情報処理装置。
【請求項１１】
前記データ制御装置から転送された前記データを受信して蓄積する蓄積手段をさらに備え、
前記要求手段は、前記出力手段により前記データが出力されていき、前記蓄積手段のバッファ残量が閾値以下になった場合に、前記データ制御装置へデータを転送するように要求することを特徴とする請求項１０に記載の情報処理装置。
【請求項１２】
データ制御装置から転送されたデータを処理する情報処理装置の制御方法であって、
前記データ制御装置へデータを転送するように要求する要求工程と、
前記転送された前記データを処理して逐次出力する出力工程と、
前記転送が完了してから次に転送が開始されるまでの第１の時間を、前記要求工程により要求されるデータの転送量と、前記出力工程により出力される出力レートとに基づいて算出する算出工程と、
前記第１の時間と、前記データ制御装置と接続するチップ間バスを省電力状態へ遷移させるのに要する時間および前記省電力状態から復帰させるのに要する時間の合計である第２の時間と、を比較する比較工程と、
前記比較工程により前記第１の時間が前記第２の時間よりも長いと判断されると、前記チップ間バスを前記省電力状態へ遷移させる変更工程と、
を備えることを特徴とする情報処理装置の制御方法。